(57)【要約】【課題】従来は、ベルト転写体を用いた場合でも乾燥機構の配置空間の確保が難しく、乾燥不良による転写残りやクリーナへの過剰な性能要求があった。また、ベルト転写体あるいは転写ローラの配置によって効率的な乾燥が行えないばかりか、装置が大型化し装置の設置自由度が著しく制約されていた。【解決手段】本発明は感光体ドラムを二つに分けて、それぞれの感光体ドラム上に形成されたトナー画像を順次重ね合わせて転写するベルト状中間転写体を間に配置し、乾燥機能の一つを感光体ドラムの間に配置する。これにより、乾燥機構を配置する空間を大きくとることができると共に、全体を小型化することができる。【選択図】  図１
2005043463.tif 000002
【特許請求の範囲】
【請求項１】
第１の感光体及び第２の感光体と、
前記第１の感光体への帯電を行う第１の帯電器と、
前記第２の感光体への帯電を行う第２の帯電器と、
帯電された前記第１の感光体に第１の静電潜像を書き込む第１の露光器と、
帯電された前記第２の感光体に第２の静電潜像を書き込む第２の露光器と、
前記第１の静電潜像が書き込まれた前記第１の感光体に液体トナーを用いて現像を行う第１の液体現像器と、
前記第２の静電潜像が書き込まれた前記第２の感光体に液体トナーを用いて現像を行う第２の液体現像器と、
現像後に前記第１の感光体上に残存した液体トナー成分を乾燥させる第１の乾燥機構と、
現像後に前記第２の感光体上に残存した液体トナー成分を乾燥させる第２の乾燥機構と、
乾燥された前記第１、第２の感光体上のそれぞれのトナー画像が転写されるベルト状の画像担持体、前記画像担持体を介して前記第１の感光体に圧接配置された第１の支持ローラ、及び前記画像担持体を介して前記第２の感光体に圧接配置された第２の支持ローラを有する中間転写体と、
前記画像坦持体上の前記トナー画像が転写される印刷媒体を介して、前記画像担持体に圧接配置される加圧ローラと、を備え、
前記第１、第２の乾燥機構のいずれか一方が、前記第１の感光体と前記第２の感光体との間に配置されていることを特徴とする画像形成装置。
【請求項２】
前記中間転写体は、さらに前記加圧ローラと対向配置された第３の支持ローラを有し、
前記加圧ローラと前記第３の支持ローラの少なくとも一方を加熱する加熱機構をさらに備えることを特徴とする請求項１記載の画像形成装置。
【請求項３】
前記加圧ローラ付近において、前記画像担持体を挟み込むように配置され、前記画像坦持体を加熱する加熱手段をさらに備えることを特徴とする請求項１又は２記載の画像形成装置。
【請求項４】
前記中間転写体は、さらに前記加圧ローラと対向配置された第３の支持ローラを有し、
前記第１の支持ローラと前記第２の支持ローラの間に配置され、前記画像担持体を内側に回避させるために前記画像坦持体の外側表面と接触する折り返しローラをさらに備えることを特徴とする請求項１乃至３のいずれかに記載された画像形成装置。
【請求項５】
前記支持ローラの全てが、前記第１の感光体の回転中心と前記第２の感光体の回転中心とを結ぶ直線より内側に配置されたことを特徴とする請求項１乃至３のいずれかに記載された画像形成装置。
【発明の詳細な説明】
【０００１】
【発明の属する技術分野】
本発明は画像形成装置に係わり、特に液体トナーを用いた画像形成装置に関する。
【０００２】
【従来の技術】
液体トナーを用いた画像形成装置は、乾式による画像形成装置では実現できない多くの利点を有し、近年その価値が見直されている。
【０００３】
例えば、サブミクロンサイズの極めて微細なトナーを用いることができるため高画質を実現できること、少量のトナーで十分な画像濃度が得られるため経済的であるうえにオフセット印刷並みの質感を実現できること、比較的低温でトナーを用紙に定着できるため省エネルギで高速化を達成できること等が挙げられる。
【０００４】
特に、後述する特許文献１には、乾燥機構により感光体上の溶媒を乾燥させた後に転写を行い、より高い画質を実現すると共に、出力直後には紙が乾燥しており加工が可能な画像形成装置が開示されている。
【０００５】
一方、従来の画像形成装置では、そもそも乾燥機構を設けていなかったこともその背景としてあるが、画像形成プロセスに必要な構成要素が感光体の周囲に配置されており、乾燥機構を配置するだけの空間が充分にとれないという問題があった。
【０００６】
例えば、後述する特許文献２には、ベルト転写体を用いた画像形成装置が示されているが、構成上ベルト転写体が制約となって乾燥機構を配置する空間を充分に取ることができない。
【０００７】
また、ベルト転写体の替わりに転写ローラを配置した場合には、この転写ローラの外径を大きくせざるを得ず、装置全体の大型化を招き、製品として成立しなかった。
【０００８】
敢えて外径の大きい転写ローラを採用したとしても、乾燥機構を配置する空間を確保することが難しく、液体トナーの利点を生かすことができなかった。
【０００９】
以下に、従来の画像形成装置を開示する文献について記載する。
【００１０】
【特許文献１】
特開２００２−１０８１５８号公報。
【特許文献２】
特開２００３−６６７３９号公報。
【００１１】
【発明が解決しようとする課題】
上述したように、従来の画像形成装置においては、ベルト転写体を用いた場合でも乾燥機構を配置する空間を確保することが難しかった。この結果、乾燥不良による転写残りや、クリーナへの負担の増加等の問題があった。
【００１２】
また、ベルト転写体の替わりに転写ローラを用いる場合は、装置の大型化を招いて製品として成立し得ないなどの問題があった。
【００１３】
本発明は上記事情に鑑み、液体トナーを用いた画像形成装置において、乾燥機構を配置する空間を充分確保することで、高画質で転写効率がよく、出力直後の加工性の自由度の高い画像形成装置を提供することを目的とする。
【００１４】
【課題を解決するための手段】
本発明の画像形成装置は、
第１の感光体及び第２の感光体と、
前記第１の感光体への帯電を行う第１の帯電器と、
前記第２の感光体への帯電を行う第２の帯電器と、
帯電された前記第１の感光体に第１の静電潜像を書き込む第１の露光器と、
帯電された前記第２の感光体に第２の静電潜像を書き込む第２の露光器と、
前記第１の静電潜像が書き込まれた前記第１の感光体に液体トナーを用いて現像を行う第１の液体現像器と、
前記第２の静電潜像が書き込まれた前記第２の感光体に液体トナーを用いて現像を行う第２の液体現像器と、
現像後に前記第１の感光体上に残存した液体トナー成分を乾燥させる第１の乾燥機構と、
現像後に前記第２の感光体上に残存した液体トナー成分を乾燥させる第２の乾燥機構と、
乾燥された前記第１、第２の感光体上のそれぞれのトナー画像が転写されるベルト状の画像担持体、前記画像担持体を介して前記第１の感光体に圧接配置された第１の支持ローラ、及び前記画像担持体を介して前記第２の感光体に圧接配置された第２の支持ローラを有する中間転写体と、
前記画像坦持体上の前記トナー画像が転写される印刷媒体を介して、前記画像担持体に圧接配置される加圧ローラとを備え、
前記第１、第２の乾燥機構のいずれか一方が、前記第１の感光体と前記第２の感光体との間に配置されていることを特徴とする。
【００１５】
ここで前記中間転写体は、さらに前記加圧ローラと対向配置された第３の支持ローラを有し、前記加圧ローラと前記第３の支持ローラの少なくとも一方を加熱する加熱機構をさらに備えてもよい。
【００１６】
前記加圧ローラ付近において、前記画像担持体を挟み込むように配置され、前記画像坦持体を加熱する加熱手段をさらに備えることもできる。
【００１７】
前記支持ローラの全てが、前記第１の感光体の回転中心と前記第２の感光体の回転中心とを結ぶ直線より内側に配置されていることが望ましい。
【００１８】
前記中間転写体は、さらに前記加圧ローラと対向配置された第３の支持ローラを有し、前記第１の支持ローラと前記第２の支持ローラの間に配置され、前記画像担持体を内側に回避させるために前記画像坦持体の外側表面と接触する折り返しローラをさらに備えてもよい。
【００１９】
【発明の実施の形態】
以下、本発明の実施の形態について図面を参照して説明する。
【００２０】
（１）第１の実施の形態
図１に、本発明の第１の実施の形態による、液体現像器を有する画像形成装置１の構成を示す。
【００２１】
この画像形成装置１は、表面に静電潜像を形成するための感光体ドラムとして、二つの感光体ドラム２、７を備えている。
【００２２】
感光体ドラム２の周囲に沿って、感光体ドラム２の表面を帯電させるＳ（Ｙ（イエロー）、Ｍ（マゼンタ）、Ｃ（シアン）、Ｋ（ブラック）以外の特別色）帯電器３ａ、Ｃ帯電器３ｂ、Ｋ帯電器３ｃと、帯電された感光体ドラム２の表面上にビームを照射して静電潜像を形成するＳ露光器４ａ、Ｃ露光器４ｂ、Ｋ露光器４ｃと、静電潜像にトナーを供給するＳ現像器５ａ、Ｃ現像器５ｂ、Ｋ現像器５ｃとが配置されている。
【００２３】
さらに、図示しないブロワから送られたエアを噴出す複数のノズルが内包された乾燥機構６が、感光体ドラム２の回転方向２１Ｂに沿ってＫ現像器５ｃの後段に配置され、Ｓ帯電器３ａの前段に感光体クリーナ２６が配置されている。
【００２４】
同様に、感光体ドラム７の周囲に沿って、感光体ドラム７の表面を帯電させるＹ帯電器８ａ、Ｍ帯電器８ｂと、帯電された感光体ドラム７の表面上にビームを照射して静電潜像を形成するＹ露光器９ａ、Ｍ露光器９ｂと、静電潜像にトナーを供給するＹ現像器１０ａ、Ｍ現像器１０ｂとが配置されている。
【００２５】
図示しないブロワから送られたエアを噴出す複数のノズルが内包された乾燥機構１１が、感光体ドラム７の回転方向２１Ａに沿ってＭ現像器１０ｂの後段に配置され、Ｙ帯電器８ａの前段に感光体クリーナ１２が配置されている。
【００２６】
さらに、支持ローラ１３、支持ローラ１４、１５に回転支持され、感光体ドラム２ならびに感光体ドラム７の表面に形成されたトナー画像を順次転写する中間転写ベルト１６と、重ねられた中間転写体ベルト１６上の画像を加熱する加熱機構１７とが設けられている。
【００２７】
また、加熱後の画像を印刷媒体１８に転写するため、支持ローラ１５と加圧ローラ１９とに必要な圧力を印加する圧接部２０と、中間転写ベルト１６をクリ−ニングする中間転写ベルトクリーナ２３とが配置されている。
【００２８】
ここで、露光器以外の矢印は回転体等の回転方向ならびに動作の方向を示しており、感光体ドラム２ならびに感光体ドラム７は、図中矢印２１Ｂ、２１Ａのように左回りに回転する。
【００２９】
また、印刷媒体１８は矢印２２のように、図中左から右方向に送られて印刷される。
【００３０】
支持ローラ１５及び／又は加圧ローラ１９には、内部に図示しないヒータが設けられていて加熱される。また、印刷媒体１８への転写効率を向上するため、中間転写ベルト１６の周囲において、支持ローラ１４と支持ローラ１５との間に加熱機構１７が配置されている。
【００３１】
感光体ドラム２ならびに感光体ドラム７の表面に残存した転写残りは、それぞれ感光体クリーナ２６ならびに感光体クリーナ１２によってクリーニングされる。また、中間転写ベルト１６上の転写残りは、中間転写ベルトクリーナ２３によってクリーニングされる。
【００３２】
このような構成を備える本実施の形態の画像形成装置によれば、感光体ドラムを二つに分けて、その間に一つの乾燥機構１１を配置することで、それぞれの感光体ドラムに設けた二つの乾燥機構のうちの一つの乾燥機構１１を配置する空間を大きくとることができる。
【００３３】
従って、本実施の形態は、上述したベルト転写体や転写ローラを採用した従来の画像形成装置と比較し、乾燥機構を配置する空間を大きく取ることが可能である。
【００３４】
また、本実施の形態では、３個の支持ローラ１３〜１５によって中間転写ベルト１６を回転支持することによって、感光体ドラム２、７から中間転写ベルト１６への一次転写の温度を感光体ドラム２、７の特性に合わせて低く保持し、中間転写ベルト１６から印刷媒体１８への二次転写の温度を紙等の印刷媒体１８への転写特性に合わせてより高温に維持することができる。
【００３５】
これにより、感光体ドラム２、７の特性を損なわずに転写特性を向上させることができ、高画質で信頼性の高い画像形成装置を実現することができる。
【００３６】
さらに、図１において示されたように、本実施の形態によれば、二つの感光体ドラム２、７を連結するように中間転写ベルト１６を配置することにより、感光体ドラム２、７のそれぞれの回転中心Ｃ１、Ｃ２を結ぶ直線よりも３つの支持ローラ１３〜１５を内側に配置することができるので、装置全体の小型化が可能である。
【００３７】
通常、液体トナーを扱う装置では、現像器を大きく傾ける構成を採用することができないが、本実施の形態では、ＹＭＣＫ以外の特別色のためのＳ現像器５ａを配置した場合であっても、装置全体の大型化を抑制することができる。
【００３８】
（２）第２の実施の形態
図２に、本発明の第２の実施の形態による画像形成装置３０の概略構成を示す。
【００３９】
この画像形成装置３０は上記第１の実施の形態と同様に、表面に静電潜像を形成するための感光体ドラムとして、二つの感光体ドラム３２、３７を備えている。
【００４０】
感光体ドラム３２の周囲に沿って、感光体ドラム３２の表面を帯電させるＳ帯電器３３ａ、Ｃ帯電器３３ｂ、Ｋ帯電器３３ｃと、帯電された感光体ドラム３２の表面上にビームを照射して静電潜像を形成するＳ露光器３４ａ、Ｃ露光器３４ｂ、Ｋ露光器３４ｃと、静電潜像にトナーを供給するＳ現像器３５ａ、Ｃ現像器３５ｂ、Ｋ現像器３５ｃとが配置されている。
【００４１】
さらに、図示しないブロワから送られたエアを噴出す複数のノズルが内包された乾燥機構３６が、感光体ドラム３２の回転方向５１Ｂに沿ってＫ現像器３５ｃの後段に配置され、Ｓ帯電器３３ａの前段に感光体クリーナ５２が配置されている。
【００４２】
同様に、感光体ドラム３７の周囲に沿って、感光体ドラム３７の表面を帯電させるＹ帯電器３８ａ、Ｍ帯電器３８ｂと、帯電された感光体ドラム３７の表面上にビームを照射して静電潜像を形成するＹ露光器３９ａ、Ｍ露光器３９ｂと、静電潜像にトナーを供給するＹ現像器４０ａ、Ｍ現像器４０ｂとが配置されている。
【００４３】
図示しないブロワから送られたエアを噴出す複数のノズルが内包された乾燥機構４１が、感光体ドラム３７の回転方向５１Ａに沿ってＭ現像器４０ｂの後段に配置され、Ｙ帯電器３８ａの前段に感光体クリーナ４２が配置されている。
【００４４】
本実施の形態は上記第１の実施の形態と異なり、二つの支持ローラ４３、４４に回転支持され、感光体ドラム３２ならびに感光体ドラム３７の表面に形成されたトナー画像を順次転写する中間転写ベルト４６と、重ねられた中間転写体ベルト４６上の画像を加熱する加熱機構４７とが設けられている。
【００４５】
また、加熱後の画像を印刷媒体４８に転写するため、支持ローラ４４と加圧ローラ４９とに必要な圧力を印加する圧接部５０と、中間転写ベルト４６をクリーニングする中間転写ベルトクリーナ５３とが配置されている。
【００４６】
ここで、露光器以外の矢印は回転体等の回転方向ならびに動作の方向を示しており、感光体ドラム３２ならびに感光体ドラム３７は、図中矢印５１Ｂ、５１Ａのように左回りに回転する。
【００４７】
印刷媒体４８は、矢印５２のように、図中左から右方向に送られて印刷される。
【００４８】
支持ローラ４４には、内部に図示されないヒータが設けられている。また、印刷媒体４８への転写効率を向上するため、中間転写ベルト４６の周囲において、支持ローラ４３と支持ローラ４４との間に加熱機構４７が配置されている。
【００４９】
感光体ドラム３２ならびに感光体ドラム３７の表面に残存した転写残りは、それぞれ感光体クリーナ５２ならびに感光体クリーナ４２によってクリーニングされる。また、中間転写ベルト４６上の転写残りは、中間転写ベルトクリーナ５３によってクリーニングされる。
【００５０】
このような構成を備える本実施の形態の画像形成装置によれば、上記第１の実施の形態と同様に、感光ドラムを二つに分けて、その間に一つの乾燥機構１１を配置することで、この乾燥機構１１の空間を大きくとることができる。よって、従来の中間転写ローラや中間転写ベルトを採用した装置と比較し、乾燥機構を配置する空間を大きくとることができる。
【００５１】
さらに、図２からも明らかなように、本実施の形態によれば上記第１の実施の形態と同様に、二つの感光体ドラム３２、３７を連結するように中間転写ベルト４６を配置することにより、装置全体を小型化することができる。即ち、感光体ドラム３２、３７のそれぞれの回転中心Ｃ３、Ｃ４を結ぶ直線よりも２つの支持ローラ４３〜４４を内側に配置することができるので、装置全体の小型化が可能である。
【００５２】
よって、本実施の形態では、ＹＭＣＫ以外の特別色のためのＳ現像器３５ａを配置した場合であっても、装置全体として大きくならないように構成することができる。
【００５３】
また上記第１の実施の形態と異なり、本実施の形態では２個の支持ローラ４３、４４によって中間転写ベルト４６を回転支持しており、感光体ドラム３２、３７から中間転写ベルト４６への一次転写の温度を感光体ドラム３２、３７の特性に合わせて低く保持し、中間転写ベルト４６から印刷媒体４８への二次転写の温度を紙等の印刷媒体４８への転写特性に合わせてより高温に維持することはできない。
【００５４】
しかし、本実施の形態は上記第１の実施の形態より支持ローラの数を減らすことができるので、装置をより小型化することができる。
【００５５】
（３）第３の実施の形態
図３に、本発明の第３の実施の形態による画像形成装置６０の構成を示す。
【００５６】
この画像形成装置６０は、表面に静電潜像を形成するための感光体ドラムとして、二つの感光体ドラム６２、６７を備えている。
【００５７】
感光体ドラム６２の周囲に沿って、感光体ドラム６２の表面を帯電させるＳ帯電器６３ａ、Ｃ帯電器６３ｂ、Ｋ帯電器６３ｃと、帯電された感光体ドラム６２の表面上にビームを照射して静電潜像を形成するＳ露光器６４ａ、Ｃ露光器６４ｂ、Ｋ露光器６４ｃと、静電潜像にトナーを供給するＳ現像器６５ａ、Ｃ現像器６５ｂ、Ｋ現像器６５ｃとが配置されている。
【００５８】
さらに、図示しないブロワから送られたエアを噴出す複数のノズルが内包された乾燥機構６６が、感光体ドラム６２の回転方向８１Ｂに沿ってＫ現像器６５ｃの後段に配置され、Ｓ帯電器６３ａの前段に感光体クリーナ８６が配置されている。
【００５９】
同様に、感光体ドラム６７の周囲に沿って、感光体ドラム６７の表面を帯電させるＹ帯電器６８ａ、Ｍ帯電器６８ｂと、帯電された感光体ドラム６７の表面上にビームを照射して静電潜像を形成するＹ露光器６９ａ、Ｍ露光器６９ｂと、静電潜像にトナーを供給するＹ現像器７０ａ、Ｍ現像器７０ｂとが配置されている。
【００６０】
図示しないブロワから送られたエアを噴出す複数のノズルが内包された乾燥機構７１が、感光体ドラム６７の回転方向８１Ａに沿ってＭ現像器７０ｂの後段に配置され、Ｙ帯電器６８ａの前段に感光体クリーナ７２が配置されている。
【００６１】
さらに、支持ローラ７３、７４、７５に回転支持され、感光体ドラム６２ならびに感光体ドラム６７の表面に形成されたトナー画像を順次転写する中間転写ベルト７６と、重ねられた中間転写体ベルト７６上の画像を加熱する加熱機構７７とが設けられている。
【００６２】
また、加熱後の画像を印刷媒体７８に転写するため、支持ローラ７５と加圧ローラ７９とに必要な圧力を印加する圧接部８０と、中間転写ベルト７６をクリ−ニングする中間転写ベルトクリーナ８３とが配置されている。
【００６３】
ここで、露光器以外の矢印は回転体等の回転方向ならびに動作の方向を示しており、感光体ドラム６２ならびに感光体ドラム６７は、図中矢印８１Ｂ、８１Ａのように左回りに回転する。
【００６４】
また、印刷媒体７８は矢印８２のように、図中左から右方向に送られて印刷される。
【００６５】
支持ローラ７５及び／又は加圧ローラ７９には、内部に図示しないヒータが設けられている。また、印刷媒体７８への転写効率を向上するため、中間転写ベルト７６の周囲において、支持ローラ７４と支持ローラ７５との間に加熱機構７７が配置されている。
【００６６】
感光体ドラム６２ならびに感光体ドラム６７の表面に残存した転写残りは、それぞれ感光体クリーナ８６ならびに感光体クリーナ７２によってクリーニングされる。また、中間転写ベルト７６上の転写残りは、中間転写ベルトクリーナ８３によってクリーニングされる。
【００６７】
支持ローラ７３〜７５は中間転写ベルト７６の内側表面に接するように配置されており、支持ローラ７４、７４の間に、中間転写ベルト７６の外側表面に接し、中間転写ベルト７６を内側に回避させる折り返しローラ８４が配置されている。この折り返しローラ８４は、中間転写ベルト７６の外側表面上に形成された転写画像に接触するので、転写画像に影響を与えないように、例えばテフロン（登録商標）のような表面離型性の高い材料を用いることが望ましい。
【００６８】
このような構成を備えた本実施の形態による画像形成装置は、上記第１、第２の実施の形態と同様に、感光体ドラムを二つに分けて、その間に一つの乾燥機構７１を配置することで、それぞれの感光体ドラムに設けた二つの乾燥機構のうちの一つの乾燥機構１１を配置する空間を大きくとることができる。
【００６９】
従って、本実施の形態は、上述した従来の中間転写ローラや中間転写ベルトを採用した装置と比較し、乾燥機構を配置する空間を大きくとることが可能である。
【００７０】
また、本実施の形態は上記第１の実施の形態と同様に、３個の支持ローラ７３〜７５によって中間転写ベルト７６を回転支持することによって、感光体ドラム６２、６７から中間転写ベルト７６への一次転写の温度を感光体ドラム６２、６７の特性に合わせて低く保持し、中間転写ベルト７６から印刷媒体７８への二次転写の温度を紙等の印刷媒体７８への転写特性に合わせてより高温に維持することができる。
【００７１】
従って、感光体ドラム６２、６７の特性を損なわずに転写特性を向上させることができ、高画質で信頼性の高い画像形成装置を実現することができる。
【００７２】
図３に示されたように、本実施の形態によれば、２つの感光体ドラム６２、６７を連結するように中間転写ベルト７６を配置することにより、装置全体を小型化することができる。一般に、液体トナーを扱う画像形成装置では、現像器を大きく傾けるように配置することができないが、本実施の形態では、ＹＭＣＫ以外の特別色のＳ現像器６５ｅを配置しても、装置全体を小型化することが可能である。
【００７３】
そして本実施の形態によれば、折り返しローラ８４を設けたことで、感光体ドラム６２用の乾燥機構６６と同様に、感光体ドラム６７用の乾燥機構７１を配置する空間をより大きくとることができる。このため、ノズル等の設計が容易であり、所望の乾燥能力を持たせる上で、さらに信頼性を高める上において好都合である。
【００７４】
上述した実施の形態はいずれも一例であって、本発明を限定するものではなく、本発明の技術的範囲内において様々に変形することができる。
【００７５】
【発明の効果】
以上説明したように、本発明の画像形成装置は、感光体ドラムを二つに分けて、それぞれの感光体ドラム上に形成されたトナー画像を転写するベルト状中間転写体を感光体ドラムの間に配置し、さらにそれぞれの感光体ドラム用の乾燥機構の一つを感光体ドラムの間に配置したことで、この乾燥機構を配置する空間を大きくとることが可能であるため、十分な乾燥能力の確保や信頼性の確保と共に、装置全体の小型化を実現することができる。
【図面の簡単な説明】
【図１】本発明の第１の実施の形態による画像形成装置の構成を示す断面図。
【図２】本発明の第２の実施の形態による画像形成装置の構成を示す断面図。
【図３】本発明の第３の実施の形態による画像形成装置の構成を示す断面図。
【符号の説明】
１、３０、６０  画像形成装置
２、７  感光体ドラム
３ｃ  Ｋ帯電器
３ｄ  Ｃ帯電器
３ｅ  Ｓ帯電器
４ｃ  Ｋ露光器
４ｄ  Ｃ露光器
４ｅ  Ｓ露光器
５ｃ  Ｋ現像器
５ｄ  Ｃ現像器
５ｅ  Ｓ現像器
８ａ  Ｙ帯電器
８ｂ  Ｍ帯電器
９ａ  Ｙ露光器
９ｂ  Ｍ露光器
１０ａ  Ｙ現像器
１０ｂ  Ｍ現像器
６、１１  乾燥機構
１３、１４、１５  支持ローラ
１６  中間転写ベルト
１７  加熱機構
１８  印刷媒体
１９  加圧ローラ
２０  圧接部
２３  中間転写ベルトクリーナ
２６  感光体クリーナ
【図１】
2005043463.tif 000003
【図２】
2005043463.tif 000004
【図３】
2005043463.tif 000005